(57)【要約】【課題】視覚制限の有無を比較的容易に切り替える。【解決手段】有機ＥＬ装置（２００）は、基板（２１０ａ）と、基板上に配置された発光部（２４０）と、発光部の上層側に、発光部から所定間隔をあけて積層されると共に、基板上で平面的に見て、発光部を少なくとも部分的に覆う遮光層（２３０）とを備える。発光部は、発光層（２４１）と、発光層の上に積層された第１透明層（２４２）とを含む。【選択図】図２
2011082098.tif 000002
【特許請求の範囲】
【請求項１】
基板と、
前記基板上に配置された発光部と、
前記発光部の上層側に、前記発光部から所定間隔をあけて積層されると共に、前記基板上で平面的に見て、少なくとも前記発光部を覆う遮光層と
を備え、
前記発光部は、
発光層と、
前記発光層の上に積層された第１透明層と
を含む
ことを特徴とする有機ＥＬ装置。
【請求項２】
前記発光部は、アイランド状にパターニングされていることを特徴とする請求項１に記載の有機ＥＬ装置。
【請求項３】
前記発光部は、前記発光層の下に積層された反射層を更に含むことを特徴とする請求項１又は２に記載の有機ＥＬ装置。
【請求項４】
前記発光部は、前記発光層の下に積層された第２透明層を更に含むことを特徴とする請求項１又は２に記載の有機ＥＬ装置。
【請求項５】
前記基板上で平面的に見て、前記遮光層の幅は、前記発光部の幅より２ｓだけ広く、
前記所定間隔は、関係式
１２度≦Ｔａｎ−１（ｓ／ｄ）≦３８度
但し、ｄは前記所定間隔
を満たす
ことを特徴とする請求項１乃至４のいずれか一項に記載の有機ＥＬ装置。
【請求項６】
前記基板上で平面的に見て、前記遮光層の幅は、前記発光部の幅より２ｓだけ広く、
前記所定間隔は、関係式
１３度≦Ｔａｎ−１（ｓ／ｄ）≦５５度
但し、ｄは前記所定間隔
を満たす
ことを特徴とする請求項１乃至４のいずれか一項に記載の有機ＥＬ装置。
【請求項７】
前記基板上で平面的に見て、前記遮光層の幅は、前記発光部の幅より２ｓだけ広く、
前記所定間隔は、関係式
１３度≦Ｔａｎ−１（ｓ／ｄ）≦６７度
但し、ｄは前記所定間隔
を満たす
ことを特徴とする請求項１乃至４のいずれか一項に記載の有機ＥＬ装置。
【請求項８】
一対の基板と、
前記一対の基板間に挟持された電気光学物質と、
前記一対の基板の外表面に配置された、請求項１乃至７のいずれか一項に記載の有機ＥＬ装置と
を備えることを特徴とする電気光学装置。
【請求項９】
請求項８に記載の電気光学装置を備えることを特徴とする電子機器。
【発明の詳細な説明】
【技術分野】
【０００１】
本発明は、有機ＥＬ（Ｅｌｅｃｔｒｏ−Ｌｕｍｉｎｅｓｃｅｎｃｅ）装置、該有機ＥＬ装置を備える電気光学装置、及び該電気光学装置を備える電子機器の技術分野に関する。
【背景技術】
【０００２】
この種の装置として、例えば特許文献１には、有機ＥＬ素子をフロントライトとして用いた反射型液晶表示装置が開示されている。ここでは特に、有機ＥＬ素子が、格子状又はストライプ状のパターン形状の発光部を有することが記載されている。
【先行技術文献】
【特許文献】
【０００３】
【特許文献１】特開２００３−３３２０６６号公報
【発明の概要】
【発明が解決しようとする課題】
【０００４】
この種の装置では、画面の覗き見を防止することを目的として、画面上に視覚制御フィルムが設けられることがある。しかしながら、視覚制御フィルムは、その着脱を切り替えることが困難である。すると、例えば、視覚制御フィルムを用いて覗き見を防止しつつ一人で画面を閲覧する場合と、会議等において一の画面を多人数で同時に閲覧する場合との両方に、一の装置で対応することが困難になるという技術的問題点がある。
【０００５】
上述の特許文献１に記載の技術では、この技術的問題点を解決することが困難であるという技術的問題点がある。
【０００６】
本発明は、例えば上記問題点に鑑みてなされたものであり、視覚制限の有無を比較的容易に切り替えることができる有機ＥＬ装置、電気光学装置及び電子機器を提供することを課題とする。
【課題を解決するための手段】
【０００７】
本発明の有機ＥＬ装置は、上記課題を解決するために、基板と、前記基板上に配置された発光部と、前記発光部の上層側に、前記発光部から所定間隔をあけて積層されると共に、前記基板上で平面的に見て、少なくとも前記発光部を覆う遮光層とを備え、前記発光部は、発光層と、前記発光層の上に積層された第１透明層とを含む。
【０００８】
本発明の有機ＥＬ装置によれば、発光部は、例えば透明基板等である基板上に配置されている。発光部は、発光層と、該発光層の上に積層された、例えば透明電極等である第１透明層とを含んでいる。尚、発光部は、基板上で、例えばアイランド状又はストライプ状等にパターニングされている。
【０００９】
遮光層は、発光部の上層側に、該発光部から所定間隔をあけて積層されると共に、基板上で平面的に見て、少なくとも発光部を覆っている。尚、遮光層は、発光部のパターン形状に応じて、パターニングされている。具体的には例えば、発光部のパターン形状がアイランド状であれば、遮光層もアイランド状にパターニングされており、発光部のパターン形状がストライプ状であれば、遮光層もストライプ状にパターニングされている。
【００１０】
ここで、当該有機ＥＬ装置により視覚制御が可能な理由を説明する。先ず、例えば液晶表示装置等の画面上に、当該有機ＥＬ装置を、当該有機ＥＬ装置における遮光層が発光部よりも視認側になるように配置する。次に、当該有機ＥＬ装置を駆動して、発光部を発光させる。
【００１１】
この時、画面に対して垂直な方向に発光部から出射された光は、遮光層が少なくとも発光部を覆っているため、遮光層により遮られる。このため、画面に対して垂直な方向から（即ち、画面の正面から）画面を見た場合、光量は全く又はほとんど変化しない。他方、画面に対して斜め方向に発光部から出射された光は、遮光層により遮られることなく、画面に対して斜め方向から画面を見ている視認者の目に到達する。このため、該視認者には、光量が増加したことに起因して、コントラストの低下した画像が表示される。従って、該視認者は、画像の内容を認識することが困難になる。
【００１２】
以上説明したように、当該有機ＥＬ装置により視覚（即ち、視野角）を制限することができる。尚、当該有機ＥＬ装置を駆動させなければ（即ち、発光部を発光させなければ）、当該有機ＥＬ装置により視覚は制限されない。
【００１３】
本発明に係る「所定間隔」は、視覚を制限する範囲に応じて設定される値である。具体的には例えば、所定間隔は、画面の大きさ、画面と視認者との間の距離、並びに有機ＥＬ装置における発光部及び遮光層の幅に基づいて、視覚を制限する範囲を満足する値として設定される。
【００１４】
以上の結果、本発明の有機ＥＬ装置によれば、上述の如く、視覚制限の有無を比較的容易に切り替えることができる。
【００１５】
本発明の有機ＥＬ装置の一態様では、前記発光部は、アイランド状にパターニングされている。
【００１６】
この態様によれば、当該有機ＥＬ装置を平面的に見た場合に、遮光層に起因する遮光領域を比較的少なくすることができる。この結果、当該有機ＥＬ装置を、例えば液晶表示装置等の画面上に配置した場合に、当該有機ＥＬ装置が該画面に表示される画像に与える影響を極めて少なくすることができる。尚、遮光領域は、当該有機ＥＬ装置を平面的に見た場合の面積の１０％以下であることが望ましい。
【００１７】
本発明の有機ＥＬ装置の他の態様では、前記発光部は、前記発光層の下に積層された反射層を更に含む。
【００１８】
この態様によれば、発光部は、例えばアルミニウム等の金属を含んでなり、発光層の下に積層された反射層を含んでいる。これにより、発光部から出射された光が、当該有機ＥＬ装置が配置された、例えば透過型液晶表示装置等の画面に入射することを防止することができる。この結果、発光部から出射された光に起因して、該画面に表示された画像の品質の低下を防止することができる。
【００１９】
或いは、本発明の有機ＥＬ装置の他の態様では、前記発光部は、前記発光層の下に積層された第２透明層を更に含む。
【００２０】
この態様によれば、発光部は、発光層の下に積層された、例えば透明電極等である第２透明層を含んでいる。これにより、発光部から出射された光を、当該有機ＥＬ装置が配置された、例えば反射型液晶表示装置等の画面に入射させることができる。即ち、当該有機ＥＬ装置を、視覚制御だけでなく、フロントライトとしても用いることができる。
【００２１】
本発明の有機ＥＬ装置の他の態様では、前記基板上で平面的に見て、前記遮光層の幅は、前記発光部の幅より２ｓだけ広く、前記所定間隔は、関係式：１２度≦Ｔａｎ−１（ｓ／ｄ）≦３８度（但し、ｄは前記所定間隔）を満たす。
【００２２】
この態様によれば、当該有機ＥＬ装置により、横幅が１０ｃｍ以下の画面を有する装置（例えば、携帯電話機等）の覗き見を適切に防止することができる。
【００２３】
尚、遮光層の幅の中心と発光部の幅の中心とは、基板上で平面的に見て一致している（即ち、遮光層と発光部とは、各々の幅の中心が、基板上で平面的に見て、一致するように形成されている）。従って、“ｓ”は、基板上で平面的に見た場合に、発光部の一辺から、該一辺に対応する遮光層の一辺におろした垂線の長さを意味する。
【００２４】
或いは、本発明の有機ＥＬ装置の他の態様では、前記基板上で平面的に見て、前記遮光層の幅は、前記発光部の幅より２ｓだけ広く、前記所定間隔は、関係式：１３度≦Ｔａｎ−１（ｓ／ｄ）≦５５度（但し、ｄは前記所定間隔）を満たす。
【００２５】
この態様によれば、当該有機ＥＬ装置により、横幅が２０〜３０ｃｍの画面を有する装置（例えば、ノート型パーソナルコンピューター等）の覗き見を適切に防止することができる。
【００２６】
或いは、本発明の有機ＥＬ装置の他の態様では、前記基板上で平面的に見て、前記遮光層の幅は、前記発光部の幅より２ｓだけ広く、前記所定間隔は、関係式：１３度≦Ｔａｎ−１（ｓ／ｄ）≦６７度（但し、ｄは前記所定間隔）を満たす。
【００２７】
この態様によれば、当該有機ＥＬ装置により、横幅が２５〜８０ｃｍの画面を有する装置（例えば、デスクトップ型パーソナルコンピューター等）の覗き見を適切に防止することができる。
【００２８】
本発明の電気光学装置は、上記課題を解決するために、一対の基板と、前記一対の基板間に挟持された電気光学物質と、前記一対の基板の外表面に配置された、上述した本発明の有機ＥＬ装置（但し、その各種態様を含む）とを備える。
【００２９】
本発明の電気光学装置によれば、例えば液晶等である電気光学物質は、一対の基板間に挟持されている。上述した本発明の有機ＥＬ装置は、一対の基板の、視認側の外表面に配置されている。
【００３０】
本発明の電気光学装置によれば、上述した本発明の有機ＥＬ装置を具備してなるので、視覚制限の有無を比較的容易に切り替えることができる。
【００３１】
本発明の電子機器は、上記課題を解決するために、上述した本発明の電気光学装置を備える。
【００３２】
本発明の電子機器によれば、上述した本発明の電気光学装置を具備してなるので、比較的容易にして、視覚制限の有無を切り替えることが可能な、投射型表示装置、携帯電話、電子手帳、ワードプロセッサー、ビューファインダー型又はモニター直視型のビデオテープレコーダー、ワークステーション、テレビ電話、ＰＯＳ（Ｐｏｉｎｔ  ｏｆ  Ｓａｌｅ）端末、タッチパネル等の各種電子機器を実現できる。
【００３３】
本発明の作用及び他の利得は次に説明する実施するための形態から明らかにされる。
【図面の簡単な説明】
【００３４】
【図１】本発明の実施形態に係る有機ＥＬ装置を該有機ＥＬ装置の視認側から見た平面図である。
【図２】図１のＡ−Ａ´線断面図である。
【図３】所定間隔の設定方法を示す概念図である。
【図４】所定間隔の設定方法を示す概念図である。
【図５】所定間隔の設定方法を示す概念図である。
【図６】本発明の実施形態の第１変形例に係る有機ＥＬ装置の断面図である。
【図７】本発明の実施形態の第２変形例に係る有機ＥＬ装置の視認側から見た平面図である。
【図８】本発明の実施形態に係る液晶パネルを、ＴＦＴアレイ基板をその上に形成された各構成要素と共に対向基板の側から見た平面図である。
【図９】図８のＨ−Ｈ´線断面図である。
【図１０】液晶装置が適用されたモバイル型のパーソナルコンピューターの斜視図である。
【図１１】液晶装置が適用された携帯電話の斜視図である。
【発明を実施するための形態】
【００３５】
以下、本発明に係る有機ＥＬ装置、電気光学装置及び電子機器の各実施形態を図面に基づいて説明する。尚、以下の図では、各層・各部材を図面上で認識可能な程度の大きさとするため、該各層・各部材毎に縮尺を異ならしめている。
【００３６】
＜有機ＥＬ装置＞
本発明に係る有機ＥＬ装置の実施形態を、図１乃至図５を参照して説明する。
【００３７】
先ず、本実施形態に係る有機ＥＬ装置の全体構成について、図１及び図２を参照して説明する。図１は、本発明の実施形態に係る有機ＥＬ装置を該有機ＥＬ装置の視認側から見た平面図であり、図２は、図１のＡ−Ａ´線断面図である。
【００３８】
図１において、有機ＥＬ装置２００では、透明基板２１０ａ及び２１０ｂが対向配置されている。透明基板２１０ａ及び２１０ｂは、表示領域２５０の周囲に位置するシール領域に配置されたシール材２２０により相互に接着されている。表示領域２５０には、複数の発光部２４０（図２参照）と複数の遮光部２３０とが設けられている。ここで、複数の発光部２４０及び複数の遮光部２３０は、夫々アイランド状にパターニングされている。
【００３９】
図２において、透明基板２１０ａ上には複数の発光部２４０が配置されている。該複数の発光部２４０の上層側には、該複数の発光部２４０の各々に対応すると共に、対応する発光部２４０から所定間隔ｄをあけて複数の遮光部２３０が設けられている。該複数の遮光部２３０は、透明基板２１０ａ上で平面的に見て、少なくとも各々対応する発光部２４０を覆っている。
【００４０】
発光部２４０は、例えばアルミニウム等を含んでなる下部電極２４３（陰極）と、該下部電極２４３の上に積層された有機ＥＬ層２４１と、該有機ＥＬ層２４１の上に積層され、例えばＩＴＯ（Ｉｎｄｉｕｍ  Ｔｉｎ  Ｏｘｉｄｅ）等からなる上部透明電極２４２（陽極）とを有している。
【００４１】
ここに、本実施形態に係る「透明基板２１０ａ」、「遮光部２３０」、「有機ＥＬ層２４１」、「上部透明電極２４２」及び「下部電極２４３」は、夫々、本発明に係る「基板」、「遮光層」、「発光層」、「第１透明層」及び「反射層」の一例である。
【００４２】
有機ＥＬ装置２００の動作時には、有機ＥＬ層２４１が発光する。該有機ＥＬ層２４１から出射された光のうち、透明基板２１０ｂの法線方向に対して角度Θより小さい角度を有する光は、遮光部２３０により遮られる。他方、有機ＥＬ層２４１から出射された光のうち、透明基板２１０ｂの法線方向に対して角度Θより大きい角度を有する光の一部は、遮光部２３０に遮られることなく、透明基板２１０ｂを透過する。
【００４３】
このため、透明基板２１０ｂの法線方向（即ち、有機ＥＬ装置２００の正面）から有機ＥＬ装置を見た場合、図２中の目ｅ１に入射する光量は全く又はほとんど変化しない。他方、透明基板２１０ｂの法線方向に対して角度Θより大きい角度から有機ＥＬ装置２００を見た場合、図２中の目ｅ２に入射する光量は増加する。
【００４４】
この結果、例えば液晶表示装置等の画面上に、有機ＥＬ装置２００を、該有機ＥＬ装置２００における遮光部２３０が発光部２４０よりも視認側になるように配置すれば、目ｅ２を持つ視認者には、光量が増加したことに起因して、コントラストの低下した画像が表示される。従って、目ｅ２を持つ視認者は、画像の内容を認識することが困難になる。他方、目ｅ１を持つ視認者は、画像の内容を認識することができる。
【００４５】
次に、発光部２４０と遮光部２３０との間の距離である所定間隔ｄについて、図３乃至図５を参照して説明する。尚、図３乃至図５において、便宜上、ｘ軸方向の縮尺とｙ軸方向の縮尺とを異ならしめている。
【００４６】
（ディスプレイサイズ幅：１０ｃｍ以下）
有機ＥＬ装置２４０を、１０ｃｍ以下の画面を有する装置（例えば、携帯電話機、スマートフォン等）の視覚制御に適用する場合の所定間隔ｄについて、図３を参照して説明する。図３は、所定間隔ｄの設定方法を示す概念図である。
【００４７】
本実施形態では、実際に、被験者が１０ｃｍ以下の画面Ｄｉｓｐ１を有する装置を使用する際の被験者の目と装置との間の距離を測定し、該測定された距離の平均値を用いている。画面Ｄｉｓｐ１の位置は、被験者が画面Ｄｉｓｐ１を有する装置を使用する際の（ｉ）最も右奥、（ｉｉ）最も左奥、（ｉｉｉ）最も右手前及び（ｉｖ）最も左手前である。また、被験者の両目の間隔は、６．５ｃｍである。尚、後述する図４及び図５も同様である。
【００４８】
図３（ａ）において、画面Ｄｉｓｐ１と被験者の頭との水平（ｙ方向）距離は、最小で２０ｃｍであり、最大で５０ｃｍである。画面Ｄｉｓｐ１の移動幅（ｘ方向）は、水平距離が２０ｃｍのとき最大で２５ｃｍであり、水平距離が５０ｃｍのとき最大で５０ｃｍである。
【００４９】
図３（ａ）に示す関係より、最大可視範囲Θｍａｘは、次のように求められる。即ち、
ａ：（２０−ａ）＝２５：６．５
ａ＝１５．８７３
最大可視範囲Θｍａｘ／２＝Ｔａｎ−１（１２．５／ａ）＝３８°
最大可視範囲Θｍａｘ＝７６°
図３（ｂ）において、画面Ｄｉｓｐ１と被験者の頭との水平距離は、最小で２０ｃｍであり、最大で５０ｃｍである。画面Ｄｉｓｐ１の移動幅は、水平距離が２０ｃｍのとき最小で１０ｃｍであり、水平距離が５０ｃｍのとき最小で１５ｃｍである。
【００５０】
図３（ｂ）に示す関係より、最小可視範囲Θｍｉｎは、次のように求められる。即ち、
ａ´：（５０−ａ´）＝６．５：１５
ａ´＝１５．１１６
最小可視範囲Θｍｉｎ／２＝Ｔａｎ−１（７．５／（５０−ａ´））＝１２°
最小可視範囲Θｍｉｎ＝２４°
図２における「見える角度範囲」（即ち、光Ｌ１と光Ｌ２とがなす角度）が、上記最大可視範囲Θｍａｘと最小可視範囲Θｍｉｎとの間になるようにすれば、画面Ｄｉｓｐ１を有する装置の使用者は、画面Ｄｉｓｐ１に表示される画像を適切に視認できることとなる。
【００５１】
従って、所定間隔ｄは、次の関係式を満たすように決定される。即ち、
最小可視範囲Θｍｉｎ／２≦Ｔａｎ−１（ｓ／所定間隔ｄ）≦最大可視範囲Θｍａｘ
１２°≦Ｔａｎ−１（ｓ／所定間隔ｄ）≦３８°
（ディスプレイサイズ幅２０〜３０ｃｍ）
有機ＥＬ装置２４０を、２０〜３０ｃｍの画面を有する装置（例えば、ノート型パーソナルコンピューター等）の視覚制御に適用する場合の所定間隔ｄについて、図４を参照して説明する。図４は、所定間隔ｄの設定方法を示す概念図である。
【００５２】
図４（ａ）において、２０〜３０ｃｍの画面Ｄｉｓｐ２と被験者の頭との水平（ｙ方向）距離は、最小で２０ｃｍであり、最大で７０ｃｍである。画面Ｄｉｓｐ２の移動幅（ｘ方向）は、水平距離が２０ｃｍのとき最大で５０ｃｍであり、水平距離が７０ｃｍのとき最大で７０ｃｍである。
【００５３】
図４（ａ）に示す関係より、最大可視範囲Θｍａｘは、次のように求められる。即ち、
ａ：（２０−ａ）＝５０：６．５
ａ＝１７．６９９
最大可視範囲Θｍａｘ／２＝Ｔａｎ−１（２５／ａ）＝５５°
最大可視範囲Θｍａｘ＝１１０°
図４（ｂ）において、画面Ｄｉｓｐ２と被験者の頭との水平距離は、最小で２０ｃｍであり、最大で７０ｃｍである。画面Ｄｉｓｐ２の移動幅は、水平距離が２０ｃｍのとき最小で２０ｃｍであり、水平距離が７０ｃｍのとき最小で２５ｃｍである。
【００５４】
図４（ｂ）に示す関係より、最小可視範囲Θｍｉｎは、次のように求められる。即ち、
ａ´：（７０−ａ´）＝６．５：２５
ａ´＝１４．４４４
最小可視範囲Θｍｉｎ／２＝Ｔａｎ−１（１２．５／（７０−ａ´））＝１３°
最小可視範囲Θｍｉｎ＝２６°
図２における「見える角度範囲」が、上記最大可視範囲Θｍａｘと最小可視範囲Θｍｉｎとの間になるようにすれば、画面Ｄｉｓｐ２を有する装置の使用者は、画面Ｄｉｓｐ２に表示される画像を適切に視認できることとなる。
【００５５】
従って、所定間隔ｄは、次の関係式を満たすように決定される。即ち、
最小可視範囲Θｍｉｎ／２≦Ｔａｎ−１（ｓ／所定間隔ｄ）≦最大可視範囲Θｍａｘ
１３°≦Ｔａｎ−１（ｓ／所定間隔ｄ）≦５５°
（ディスプレイサイズ幅２５〜８０ｃｍ）
有機ＥＬ装置２４０を、２５〜８０ｃｍの画面を有する装置（例えば、デスクトップ型パーソナルコンピューター等）の視覚制御に適用する場合の所定間隔ｄについて、図５を参照して説明する。図５は、所定間隔ｄの設定方法を示す概念図である。
【００５６】
図５（ａ）において、２５〜８０ｃｍの画面Ｄｉｓｐ３と被験者の頭との水平（ｙ方向）距離は、最小で２０ｃｍであり、最大で８０ｃｍである。画面Ｄｉｓｐ３の移動幅（ｘ方向）は、水平距離が２０ｃｍのとき最大で９０ｃｍであり、水平距離が８０ｃｍのとき最大で１１０ｃｍである。
【００５７】
図５（ａ）に示す関係より、最大可視範囲Θｍａｘは、次のように求められる。即ち、
ａ：（２０−ａ）＝９０：６．５
ａ＝１８．６５２
最大可視範囲Θｍａｘ／２＝Ｔａｎ−１（４５／ａ）＝６７°
最大可視範囲Θｍａｘ＝１３４°
図５（ｂ）において、画面Ｄｉｓｐ３と被験者の頭との水平距離は、最小で２０ｃｍであり、最大で８０ｃｍである。画面Ｄｉｓｐ３の移動幅は、水平距離が２０ｃｍのとき最小で２５ｃｍであり、水平距離が８０ｃｍのとき最小で３０ｃｍである。
【００５８】
図５（ｂ）に示す関係より、最小可視範囲Θｍｉｎは、次のように求められる。即ち、
ａ´：（８０−ａ´）＝６．５：３０
ａ´＝１４．２４７
最小可視範囲Θｍｉｎ／２＝Ｔａｎ−１（１５／（８０−ａ´））＝１３°
最小可視範囲Θｍｉｎ＝２６°
図２における「見える角度範囲」が、上記最大可視範囲Θｍａｘと最小可視範囲Θｍｉｎとの間になるようにすれば、画面Ｄｉｓｐ３を有する装置の使用者は、画面Ｄｉｓｐ３に表示される画像を適切に視認できることとなる。
【００５９】
従って、所定間隔ｄは、次の関係式を満たすように決定される。即ち、
最小可視範囲Θｍｉｎ／２≦Ｔａｎ−１（ｓ／所定間隔ｄ）≦最大可視範囲Θｍａｘ
１３°≦Ｔａｎ−１（ｓ／所定間隔ｄ）≦６７°
＜第１変形例＞
次に、本実施形態に係る有機ＥＬ装置の第１変形例について、図６を参照して説明する。図６は、図２と同趣旨の、本実施形態の第１変形例に係る有機ＥＬ装置の断面図である。
【００６０】
第１変形例において、発光部２４０は、例えばＩＴＯ等からなる下部透明電極２４４（陰極）と、該下部透明電極２４４の上に積層された有機ＥＬ層２４１と、該有機ＥＬ層２４１の上に積層された上部透明電極２４２（陽極）とを有している。
【００６１】
このように構成すれば、第１変形例に係る有機ＥＬ装置２００を、視覚制御だけでなく、例えば反射型液晶表示装置等のフロントライトとしても用いることができる。
【００６２】
＜第２変形例＞
次に、本実施形態に係る有機ＥＬ装置の第２変形例について、図７を参照して説明する。図７は、図１と同趣旨の、本実施形態の第２変形例に係る有機ＥＬ装置の視認側から見た平面図である。
【００６３】
第２変形例に係る有機ＥＬ装置２０１において、複数の発光部２４０及び複数の遮光部２３１は、夫々ストライプ状にパターニングされている。
【００６４】
＜電気光学装置＞
本発明の電気光学装置の実施形態を、図８及び図９を参照して説明する。ここでは、本発明に係る電気光学装置の一例として、駆動回路内蔵型のＴＦＴ（Ｔｈｉｎ  Ｆｉｌｍ  Ｔｒａｎｓｉｓｔｏｒ）アクティブマトリックス駆動方式の液晶装置を挙げる。
【００６５】
本実施形態に係る液晶装置の構成について、図８及び図９を参照して説明する。図８は、ＴＦＴアレイ基板をその上に形成された各構成要素と共に対向基板の側から見た平面図であり、図９は、図８のＨ−Ｈ´線断面図である。
【００６６】
図８及び図９において、液晶装置１００では、本発明に係る「一対の基板」の一例としてのＴＦＴアレイ基板１０及び対向基板２０が対向配置されている。ＴＦＴアレイ基板１０は、例えば、石英基板、ガラス基板、シリコン基板等の基板からなり、対向基板２０は、例えば、石英基板、ガラス基板等の基板からなる。ＴＦＴアレイ基板１０と対向基板２０との間には、本発明に係る「電気光学物質」の一例としての液晶を含んでなる液晶層５０が封入されている。ＴＦＴアレイ基板１０と対向基板２０とは、画像表示領域１０ａの周囲に位置するシール領域に配置されたシール材５２により相互に接着されている。
【００６７】
シール材５２は、両基板を貼り合わせるための、例えば紫外線硬化樹脂や熱硬化樹脂、又は紫外線・熱併用型硬化樹脂等からなり、製造プロセスにおいてＴＦＴアレイ基板１０上に塗布された後、紫外線照射、加熱等により硬化させられたものである。画像表示領域１０ａ及び画像表示領域１０ａの周辺に位置する周辺領域には、ＴＦＴアレイ基板１０と対向基板２０との間隔（即ち、ギャップ）を所定値とするためのグラスファイバ或いはガラスビーズ等のギャップ材が配置されている。尚、ギャップ材を、画像表示領域１０ａ等に配置されるものに加えて若しくは代えて、シール材５２に混入するようにしてもよい。
【００６８】
図８において、シール材５２が配置されたシール領域の内側に並行して、画像表示領域１０ａを規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００６９】
周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側にサンプリング回路７が額縁遮光膜５３に覆われるようにして設けられている。走査線駆動回路１０４は、この一辺に隣接する２辺に沿ったシール領域の内側の額縁領域に、額縁遮光膜５３に覆われるようにして設けられている。
【００７０】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。更に、外部回路接続端子１０２と、データ線駆動回路１０１、走査線駆動回路１０４、上下導通端子１０６等とを電気的に接続するための引回配線９０が形成されている。
【００７１】
図９において、ＴＦＴアレイ基板１０上には、駆動素子である画素スイッチング用のＴＦＴや走査線、データ線等の配線が作り込まれた積層構造が形成される。複数の走査線及び複数のデータ線は、相互に交差して配線され、これら交差に対応して画素に対応する画素部がマトリックス状に設けられている。この積層構造の詳細な構成については図９では図示を省略してあるが、この積層構造の上に、ＩＴＯ等の透明材料からなる画素電極９ａが、画素毎に所定のパターンでアイランド状に形成されている。
【００７２】
画素電極９ａは、後述する対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００７３】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えば直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。また、画像表示領域１０ａにおいてカラー表示を行うために、開口領域及び非開口領域の一部を含む領域に、カラーフィルター（図示せず）が形成されている。
【００７４】
遮光膜２３上に、ＩＴＯ等の透明材料からなる対向電極２１が複数の画素電極９ａと対向して形成されている。対向基板２０の対向面上における、対向電極２１上には、配向膜２２が形成されている。
【００７５】
対向基板２０におけるＴＦＴアレイ基板１０との対向面とは反対側の面上には、上述した有機ＥＬ装置２００が配置されている。本実施形態に係る液晶装置１００は、上述した有機ＥＬ装置２００を具備してなるので、視覚制限の有無を比較的容易に切り替えることができる。
【００７６】
尚、図８及び図９に示したＴＦＴアレイ基板１０上には、これらのデータ線駆動回路１０１、走査線駆動回路１０４、サンプリング回路７等に加えて、複数のデータ線に所定電圧レベルのプリチャージ信号を画像信号に先行して各々供給するプリチャージ回路、製造途中や出荷時の当該液晶装置の品質、欠陥等を検査するための検査回路等を形成してもよい。
【００７７】
尚、液晶装置１００における対向基板２０を、上述した有機ＥＬ装置２００における透明基板２１０ａとして用いてよい。即ち、対向基板２０におけるＴＦＴアレイ基板１０との対向面とは反対側の面上に、発光部２４０等が形成されてよい。このように構成すれば、例えば部品点数を減らすことができ、実用上非常に有利である。
【００７８】
＜電子機器＞
続いて、図１０及び図１１を参照しながら、上述の液晶装置１００を具備してなる電子機器の例を説明する。
【００７９】
図１０は、上述した液晶装置１００が適用されたモバイル型のパーソナルコンピューターの斜視図である。図１０において、コンピューター１２００は、キーボード１２０２を備えた本体部１２０４と、上述した液晶装置１００と同様の構成を有する液晶装置１００５を含んでなる液晶表示ユニット１２０６とから構成されている。液晶表示ユニット１２０６は、液晶装置１００の背面にバックライトを付加することにより構成されている。
【００８０】
次に、上述した液晶装置１００を携帯電話に適用した例について説明する。図１１は、電子機器の一例である携帯電話の斜視図である。図１１において、携帯電話１３００は、複数の操作ボタン１３０２と共に、半透過反射型の表示形式を採用し、且つ上述した液晶装置１００と同様の構成を有する液晶装置１００５を備えている。
【００８１】
これらの電子機器においても、上述した液晶装置１００を含んでいるため、上述した各種効果を好適に享受することができる。
【００８２】
尚、図１０及び図１１を参照して説明した電子機器の他にも、液晶テレビ、ビューファインダー型又はモニター直視型のビデオテープレコーダー、カーナビゲーション装置、ページャー、電子手帳、電卓、ワードプロセッサー、ワークステーション、テレビ電話、ＰＯＳ端末、タッチパネルを備えた直視型の表示装置や、液晶プロジェクター等の投射型の表示装置等が挙げられる。そして、これらの各種電子機器に適用可能なのは言うまでもない。
【００８３】
本発明は、上述した実施例に限られるものではなく、請求の範囲及び明細書全体から読み取れる発明の要旨或いは思想に反しない範囲で適宜変更可能であり、そのような変更を伴う有機ＥＬ装置、電気光学装置及び電子機器もまた本発明の技術的範囲に含まれるものである。
【符号の説明】
【００８４】
１０…ＴＦＴアレイ、２０…対向基板、５０…液晶層、１００…液晶装置、２００、２０１…有機ＥＬ装置、２１０ａ、２１０ｂ…透明基板、２３０…遮光部、２４０…発光部、２４１…有機ＥＬ層、２４２…上部透明電極、２４３…下部電極、２４４…下部透明電極
【図１】
2011082098.tif 000003
【図２】
2011082098.tif 000004
【図３】
2011082098.tif 000005
【図４】
2011082098.tif 000006
【図５】
2011082098.tif 000007
【図６】
2011082098.tif 000008
【図７】
2011082098.tif 000009
【図８】
2011082098.tif 000010
【図９】
2011082098.tif 000011
【図１０】
2011082098.tif 000012
【図１１】
2011082098.tif 000013